(57)【特許請求の範囲】
【請求項１】
２枚の垂直壁間の底面上に、ヒューズを搭載して回路接続可能とするヒューズ搭載手段が配設されており、該２枚の垂直壁の上端部間に、該ヒューズ搭載手段の上方を覆って保護する上方保護部材が配設されたヒューズ台と、
該２枚の垂直壁の上端部間上を覆う板部材、該板部材の裏面から垂下した連結部材および、該連結部材の先端部に連結され、該ヒューズを装着可能とするヒューズ装着部材を有したヒューズキャリー手段とを備え、
該上方保護部材の幅方向中央の長手方向に沿ってスリットが形成されており、該連結部材の板厚は該スリットに横方向から、該ヒューズが該ヒューズ搭載手段の真上まで挿入可能に構成されているヒューズユニット。
【請求項２】
前記連結部材は、前記ヒューズ搭載手段の長手方向に及ぶ全長からその１／１６の長さ範囲内の板状部材で構成されている請求項１に記載のヒューズユニット。
【請求項３】
前記ヒューズ搭載手段として、平面視４角形状の底面の対向辺側から折り曲げられて立設した１対のクリップが２セット互いに所定間隔を空けて前記ヒューズを搭載可能に配置されている請求項１に記載のヒューズユニット。
【請求項４】
前記所定間隔を空けて配置された各１対のクリップにおいて、一方の該１対のクリップが立設した底面の辺間の辺に連設されて、配線接続可能とする端子ねじが締結可能とされる第１端子領域が設けられ、他方の該１対のクリップが立設した底面の辺間の辺であって当該第１端子領域から遠い側の辺に連設されて、配線接続可能とする端子ねじが締結可能とされる第２端子領域が設けられている請求項３に記載のヒューズユニット。
【請求項５】
前記第１端子領域および前記第２端子領域の上方をそれぞれ、平面視４角形状の奥側の辺を回転中心として開閉可能とする端子カバーがそれぞれ配設されており、該端子カバーを開けたときに前記上方保護部材の直下のヒューズ挿入領域を閉止するように構成されている請求項４に記載のヒューズユニット。
【請求項６】
前記ヒューズキャリー手段の下側の前記ヒューズ装着部材に装着された前記ヒューズを該ヒューズ装着部材と共に前記上方保護部材の直下のヒューズ挿入領域に横方向から、前記ヒューズ搭載手段の真上まで挿入した後に該ヒューズを該ヒューズ装着部材と共に下方に挿入して該ヒューズ搭載手段に該ヒューズを搭載する請求項１に記載のヒューズユニット。
【発明の詳細な説明】
【技術分野】
【０００１】
本発明は、例えば原子力発電所、火力発電所および変電所などの配電盤、制御盤および監視盤の他、鉄道や自動車および、新エネルギー分野のソーラシステムや風力発電システムなどに用いられるヒューズユニットに関する。
【背景技術】
【０００２】
この種の従来のヒューズユニットは、ヒューズを搭載するヒューズ台と、ヒューズを保持してヒューズ台に対してヒューズを脱着するためのヒューズキャリーとで構成されている。ヒューズ台の絶縁性のヒューズカバー内で対向する導電性の各１対のクリップにヒューズ両端部の各端子部分を上方から挿入して嵌め込んでヒューズをヒューズ台に搭載するようになっている。この場合、クリップのいずれかには電圧がかかっている可能性があるため、安全のために、ヒューズはその両端子側面を露出した状態でヒューズキャリーに保持されている。ヒューズキャリーの把手を持ってヒューズの両端子側面を絶縁性のヒューズカバー内の両クリップに嵌め込むようになっている。
【０００３】
ところが、ヒューズ台にヒューズを脱着するときや配線作業をするときには、充電部であるクリップなどは外部に露出してしまう。これが例えば特許文献１および特許文献２などに開示されている。
【先行技術文献】
【特許文献】
【０００４】
【特許文献１】特開２００５−２７６４９６号公報
【特許文献２】特開２０１１−７６７７２号公報
【発明の概要】
【発明が解決しようとする課題】
【０００５】
低電圧回路において使用される電圧は、日本規格ＪＩＳでは交流・直流共６００Ｖ以下であったものが、国際規格ＩＥＣでは交流で１０００Ｖ以下、直流で１５００Ｖ以下であって、国際規格ＩＥＣに合わせると上限電圧が大幅に上がる。近年、ソーラーを含むシステムで送電効率を上げるために、電圧値を高くして電流値を下げるようになって来ている。このため、７５０Ｖの電圧が低電圧回路においても使用されるようになってきている。いずれにせよ、低電圧回路において使用される電圧が高くなる傾向にある。
【０００６】
上記従来のヒューズ台では、ヒューズキャリーをヒューズと共に両クリップから引き抜いたり、ヒューズキャリーをヒューズと共に両クリップに差し込んだりする場合には、絶縁性のヒューズカバー内の上方から充電部の両クリップが手元近くで露出した状態になり、クリップのいずれかには所定電圧が印加されている可能性があるため、ドライバーなどの工具類や指先などがその充電部分に触れて事故になる虞があり得る。このため、更なる安全性が必要になってきている。
【０００７】
本発明は、上記従来の問題を解決するもので、ヒューズキャリーをヒューズと共に充電部から引き抜いたり、ヒューズキャリーをヒューズと共に両クリップに差し込んだりする場合にも、絶縁性のヒューズカバー内の上端部が閉止されて充電部が間近かに露出せず安全であるヒューズユニットを提供することを目的とする。
【課題を解決するための手段】
【０００８】
本発明のヒューズユニットは、２枚の垂直壁間の底面上に、ヒューズを搭載して回路接続可能とするヒューズ搭載手段が配設されており、該２枚の垂直壁の上端部間に、該ヒューズ搭載手段の上方を覆って保護する上方保護部材が配設されたヒューズ台と、該２枚の垂直壁の上端部間上を覆う板部材、該板部材の裏面から垂下した連結部材および、該連結部材の先端部に連結され、該ヒューズを装着可能とするヒューズ装着部材を有したヒューズキャリー手段とを備え、該上方保護部材の幅方向中央の長手方向に沿ってスリットが形成されており、該連結部材の板厚は該スリットに横方向から、該ヒューズが該ヒューズ搭載手段の真上まで挿入可能に構成されているものであり、そのことにより上記目的が達成される。
【００１０】
さらに、好ましくは、本発明のヒューズユニットにおける連結部材は、前記ヒューズ搭載手段の長手方向に及ぶ全長からその１／１６の長さ範囲内の板状部材で構成されている。
【００１１】
さらに、好ましくは、本発明のヒューズユニットにおけるヒューズ搭載手段として、平面視４角形状の底面の対向辺側から折り曲げられて立設した１対のクリップが２セット互いに所定間隔を空けて前記ヒューズを搭載可能に配置されている。
【００１２】
さらに、好ましくは、本発明のヒューズユニットにおける所定間隔を空けて配置された各１対のクリップにおいて、一方の該１対のクリップが立設した底面の辺間の辺に連設されて、配線接続可能とする端子ねじが締結可能とされる第１端子領域が設けられ、他方の該１対のクリップが立設した底面の辺間の辺であって当該第１端子領域から遠い側の辺に連設されて、配線接続可能とする端子ねじが締結可能とされる第２端子領域が設けられている。
【００１３】
さらに、好ましくは、本発明のヒューズユニットにおいて、前記第１端子領域および前記第２端子領域の上方をそれぞれ、平面視４角形状の奥側の辺を回転中心として開閉可能とする端子カバーがそれぞれ配設されており、該端子カバーを開けたときに前記上方保護部材の直下のヒューズ挿入領域を閉止するように構成されている。
【００１４】
さらに、好ましくは、本発明のヒューズユニットにおけるヒューズキャリー手段の下側の前記ヒューズ装着部材に装着された前記ヒューズを該ヒューズ装着部材と共に前記上方保護部材の直下のヒューズ挿入領域に横方向から、前記ヒューズ搭載手段の真上まで挿入した後に該ヒューズを該ヒューズ装着部材と共に下方に挿入して該ヒューズ搭載手段に該ヒューズを搭載する。
【００１５】
上記構成により、以下、本発明の作用を説明する。
【００１６】
本発明においては、２枚の垂直壁間の底面上に、ヒューズを搭載して回路接続可能とするヒューズ搭載手段が配設されており、２枚の垂直壁の上端部間に、ヒューズ搭載手段の上方を覆って保護する上方保護部材が配設されたヒューズ台と、２枚の垂直壁の上端部間上を覆う板部材、板部材の裏面から垂下した連結部材および、連結部材の先端部に連結され、ヒューズを装着可能とするヒューズ装着部材を有したヒューズキャリー手段とを備えている。
【００１７】
これによって、２枚の垂直壁の上端部間に、ヒューズ搭載手段の上方を覆って保護する上方保護部材が配設されているので、ヒューズキャリーをヒューズと共に充電部から引き抜いたり、ヒューズキャリーをヒューズと共に両クリップに差し込んだりする場合にも、絶縁性のヒューズカバー内の上端部が上方保護部材で閉止されて充電部が間近かに露出せず安全である。
【発明の効果】
【００１８】
以上により、本発明によれば、２枚の垂直壁の上端部間に、ヒューズ搭載手段の上方を覆って保護する上方保護部材が配設されているため、ヒューズキャリーをヒューズと共に充電部から引き抜いたり、ヒューズキャリーをヒューズと共に両クリップに差し込んだりする場合にも、絶縁性のヒューズカバー内の上端部が閉止されて上方保護部材により充電部が間近かに露出せず、更に安全に作業を行うことができる。
【図面の簡単な説明】
【００１９】
【図１】（ａ）は、本発明の実施形態１におけるヒューズユニットの要部構成例を示す斜視図、（ｂ）はその正面面、（ｃ）はその上面面、（ｄ）はその側面面である。
【図２】図１（ａ）のヒューズ台にヒューズキャリーを組み込む状態を示すヒューズ台およびヒューズキャリーの斜視図である。
【図３】図１（ａ）のヒューズ台の内部を説明するためにヒューズカバーの垂直壁を取り去った状態の斜視図である。
【図４】（ａ）は、ヒューズ組み込み状態において端子カバーが閉止された場合のヒューズ台の内部を示す正面図、（ｂ）は、ヒューズ取り外し状態において端子カバーが開放された場合のヒューズ台の内部を示す正面図である。
【図５】（ａ）は、ヒューズキャリーの下側のヒューズ装着部にヒューズを装着する場合のヒューズ組み込みを示す斜視図、（ｂ）は、ヒューズキャリーの下側のヒューズをヒューズカバー内に挿入する第１段階を示すヒューズのヒューズカバー内への組み込みを示す斜視図、（ｃ）は、（ｂ）の内部状態を示す斜視図、（ｄ）は、ヒューズキャリーのヒューズをヒューズカバー内の各１対のクリップに挿入する第２段階を示すヒューズの充電部への組み込みを示す斜視図である。
【図６】本発明の実施形態２におけるヒューズユニットにおいてヒューズが装着されたヒューズキャリーをヒューズ台に横方向に挿入する場合の斜視図である。
【図７】（ａ）は、ヒューズキャリーの下側のヒューズ装着部にヒューズを装着する場合のヒューズ組み込みを示す斜視図、（ｂ）は、ヒューズキャリーの下側のヒューズをヒューズカバー内に挿入する第１段階を示すヒューズのヒューズカバー内への組み込みを示す斜視図、（ｃ）は、（ｂ）の内部状態を示す斜視図、（ｄ）は、ヒューズキャリーのヒューズをヒューズカバー内の各１対のクリップ５に挿入する第２段階を示すヒューズの充電部への組み込みを示す斜視図である。
【発明を実施するための形態】
【００２０】
以下に、本発明のヒューズユニットの実施形態１、２について図面を参照しながら詳細に説明する。なお、各図における構成部材のそれぞれの厚みや長さなどは図面作成上の観点から、図示する構成に限定されるものではない。
【００２１】
（実施形態１）
図１（ａ）は、本発明の実施形態１におけるヒューズユニットの要部構成例を示す斜視図、図１（ｂ）はその正面面、図１（ｃ）はその上面面、図１（ｄ）はその側面面である。
【００２２】
図１（ａ）〜図１（ｄ）において、本実施形態１のヒューズユニット１０は、ヒューズを搭載可能とするヒューズ台１と、ヒューズ３を保持してヒューズ台１に対してヒューズを脱着するためのヒューズキャリー手段としてのヒューズキャリー２とで構成されている。ここでは、ヒューズキャリー２の上部中央の把手２１をつまんで、ヒューズキャリー２の下側のヒューズ装着部２２（図３で図示）に予め装着されたヒューズ３をヒューズ台１の絶縁性のヒューズカバー４内の充電部に装着した状態を示している。これらのヒューズキャリー２およびヒューズカバー４によりヒューズカバー４（ヒューズケース）内の充電部に対して人が工具や指などで容易に入って接触しないように保護されている。
【００２３】
図２は、図１（ａ）のヒューズ台１にヒューズキャリー２を組み込む状態を示すヒューズ台１およびヒューズキャリー２の斜視図である。
【００２４】
図２において、ヒューズカバー４の２枚の垂直壁間にヒューズ３を保持する充電部が収容されており、ヒューズ台１からヒューズキャリー２をヒューズ３と共に取り外したり、ヒューズキャリー２をヒューズ３と共にヒューズ台１に搭載したりする場合に、充電部が垂直壁間上方に対して露出しないように、内部の充電部を上側で保護する上側保護部材としての絶縁ガイド４１がヒューズカバー４の２枚の垂直壁上端部間に配設されている。また、絶縁ガイド４１間には長手方向に細長いスリット４２が設けられている。この充電部保護手段としての絶縁ガイド４１が本発明の実施形態１の特徴構成であり、２つの絶縁ガイド４１間には細長いスリット４２が設けられているものの、２つの絶縁ガイド４１によって充電部分に作業者の指や工具が容易に接触しないようになっている。
【００２５】
図３は、図１（ａ）のヒューズ台１の内部を説明するためにヒューズカバー４の垂直壁を取り去った状態の斜視図である。
【００２６】
図３において、円筒状のヒューズ３の長手方向両端の端子部を両側から挟み込んで接触する充電部である１対のクリップ５が前後に所定間隔を空けてそれぞれ配設され、この１対のクリップ５が対向して折り曲げられて立ち上がっている平面視４角形状の底面の辺間の辺（仮想辺）に連接されて折れ曲がって立ち上がった後に水平方向に再び折り曲がった端部領域の端子部５１にねじ穴が形成されている。円筒状のヒューズ３の長手方向の両端の端子部に対して１対のクリップ５が２個、１対のクリップ５の内方向の不勢力により接続されている。ねじ穴にタップが切られている場合と、このねじ穴の直下にナットが組み込まれている場合とがあるが、ねじ穴から端子ねじ５２が締結されて配線を端子部５１に接続することができるようになっている。
【００２７】
要するに、本実施形態１のヒューズユニット１０は、ヒューズ搭載手段として、平面視４角形状の底面の対向辺側から折り曲げられて立設した１対のクリップ５が２セット互いに所定間隔を空けてヒューズ３を搭載可能に配置されている。ヒューズ搭載手段は金属製（ばね材）の２個（２セット）の１対のクリップ５により構成されている。このように、所定間隔を空けて配置された各１対のクリップ５において、一方の１対のクリップ５がばね性を持って立設した底面（仮想的に平面視４角形状）の辺間の辺（仮想辺）に連設されて、配線接続可能とする端子ねじ５２が締結可能とされる第１端子領域（端子部５１）が設けられ、他方の１対のクリップ５がばね性を持って立設した底面（仮想的に平面視４角形状）の辺間の辺（仮想辺）であって当該第１端子領域（一方の端子部５１）から遠い側の辺（仮想辺）に連設されて、配線接続可能とする端子ねじ５２が締結可能とされる第２端子領域（他方の端子部５１）が設けられている。
【００２８】
図４（ａ）は、ヒューズ組み込み状態において端子カバー７が閉止された場合のヒューズ台１の内部を示す正面図、図４（ｂ）は、ヒューズ取り外し状態において端子カバー７が開放された場合のヒューズ台１の内部を示す正面図である。
【００２９】
図４（ａ）に示すように、ヒューズキャリー２の下側のヒューズ装着部２２に予め装着されたヒューズ３を、ヒューズカバー４内に所定距離離間してそれぞれ配置された各１対のクリップ５に挿入して嵌め込まれている。このとき、端子カバー７は平面視４角形状の奥側端辺部のヒンジ部を回転中心として倒されて水平方向に閉止されている。水平方向の端子カバー７により端子ねじ５２の上方が閉止されて容易には端子ねじ５２の充電部に人の指や工具などが入って触れることはない。また、ヒューズキャリー２のヒューズ３を各１対のクリップ５から取り外したときに、ヒューズカバー４の２枚の垂直壁上端部間に配設された上方保護部材としての絶縁ガイド４１と、水平方向の端子カバー７とにより充電部である各１対のクリップ５および各端子ねじ５２の上方が閉止されて容易には充電部に人の指や工具類が入って触れることがない。
【００３０】
図４（ｂ）に示すように、各端子ねじ５２を解いて配線を外す場合には、端子カバー７に形成された円形状の丸穴からドライバを挿入してその直下の端子ねじ５２の締結を緩めることができる。また、端子カバー７を、その奥側端辺部のヒンジ部を回転中心として上に回動させて垂直方向に立てて端子ねじ５２の上方を開放することもできる。端子カバー７を立てて開放すると、配線作業が効率よく行うことができる。
【００３１】
このように、端子カバー７は回動式であり、奥側の辺部を回動中心として手前側で上方に上げて開くことができて、ヒューズキャリー２のヒューズ３を収容したヒューズ装着部２２を水平方向に挿入するヒューズ挿入孔部分があるヒューズ挿入領域が塞がれるため、配線作業の途中で誤ってヒューズキャリー２の、ヒューズ３を収容したヒューズ装着部２２を絶縁ガイド４１の下方のヒューズ挿入孔部分に挿入してしまうことを防止する構造になっている。要するに、配線作業時に端子カバー７を上側に開放時は、絶縁ガイド４１の下側のヒューズ挿入孔部分は端子カバー７で塞がっているために、ヒューズキャリー２のヒューズ３を充電部に装着できない構造になっている。
【００３２】
したがって、本実施形態１のヒューズユニット１０は、第１端子領域（一方の端子部５１）および第２端子領域（他方の端子部５１）の上方をそれぞれ、平面視４角形状の奥側の辺部を回転中心として開閉可能とする端子カバー７がそれぞれ配設されており、端子カバー７を開けたときに上方保護部材としての絶縁ガイド４１の直下にヒューズ挿入孔部分があるヒューズ挿入領域を閉止するように構成されている。これによって、配線途中のヒューズ３の誤挿入が防止されるようになっている。
【００３３】
上記構成により、以下、そのヒューズ３の組み込み動作について更に詳細に説明する。
【００３４】
図５（ａ）は、ヒューズキャリー２の下側のヒューズ装着部２２にヒューズ３を装着する場合のヒューズ組み込みを示す斜視図、図５（ｂ）は、ヒューズキャリー２の下側のヒューズ３をヒューズカバー４内に挿入する第１段階を示すヒューズ３のヒューズカバー４内への組み込みを示す斜視図、図５（ｃ）は、図５（ｂ）の内部状態を示す斜視図、図５（ｄ）は、ヒューズキャリー２のヒューズ３をヒューズカバー４内の各１対のクリップ５に挿入する第２段階を示すヒューズ３の充電部への組み込みを示す斜視図である。
【００３５】
まず、図５（ａ）に示すように、ヒューズキャリー２の下側に、所定厚さで所定長さの長方形状の連結部材としての板状部材２３を介して爪状のヒューズ装着部２２が上下に設けられ、上下の爪状のヒューズ装着部２２間に、端子部３１を両側に持つヒューズ３の長手方向中央部を押し込んでその内部に装着する。このとき、ヒューズキャリー２の下側に保持されたヒューズ３の長手方向両端の端子部３１の両端面は、ヒューズキャリー２の樹脂製カバーで覆われており、ヒューズ３の長手方向両端の端子部３１のクリップ５に対応する側面位置は接続のために外部に露出している。
【００３６】
次に、図５（ａ）および図５（ｃ）に示すように、ヒューズキャリー２に保持されたヒューズ３の長手方向を水平にして、そのヒューズ３が装着された筒状のヒューズ装着部２２の一方端部を、絶縁ガイド４１の下方位置にあるヒューズ挿入孔部分から内部に挿入する。この挿入時に、絶縁ガイド４１間の細長いスリット４２に所定板厚の板状部材２３を通過させつつ、ヒューズキャリー２に保持されたヒューズ３をその筒状のヒューズ装着部２２と共に絶縁ガイド４１の下方位置にあるヒューズ挿入孔部分に挿入する。この状態のヒューズ台１の外観を図５（ｄ）に示している。
【００３７】
要するに、上方保護部材としての絶縁ガイド４１の幅方向中央の長手方向に沿ってスリット４２が形成されており、ヒューズキャリー２の下側の連結部材としての板状部材２３の板厚はスリット４２に横方向から、ヒューズ３がヒューズ搭載手段としての各１対のクリップ５の真上まで挿入可能に構成されている。ヒューズキャリー２の下側の板状部材２３の長さは、ここでは、ヒューズ搭載手段としての各１対のクリップ５の長手方向に及ぶ全長の長さに構成されている。
【００３８】
続いて、図５（ｄ）に示すように、ヒューズキャリー２の下側に保持されたヒューズ３を筒状のヒューズ装着部２２と共に絶縁ガイド４１の下方位置にあるヒューズ挿入孔部分に挿入した第１段階からヒューズキャリー２をヒューズ３と共に下方に押し込んで、ヒューズ３の両端側の端子部３１を各１対のクリップ５に挿入してヒューズ３を装着する。これによって、ヒューズ３を介して回路を接続することができる。
【００３９】
要するに、ヒューズユニット１０の使用方法は、ヒューズキャリー２の下側のヒューズ装着部材２２に装着されたヒューズ３をヒューズ装着部材２２と共に上方保護部材としての絶縁ガイド４１の直下のヒューズ挿入孔部分に横方向から、ヒューズ搭載手段としての各１対のクリップ５の真上位置まで挿入した後にヒューズ３をヒューズ装着部材２２と共に下方に挿入して各１対のクリップ５にヒューズ３を搭載する。
【００４０】
また逆に、ヒューズユニット１０の使用方法は、各１対のクリップ５に搭載されたヒューズ３をヒューズ装着部材２２と共に引き抜いてヒューズ搭載手段としての各１対のクリップ５の真上位置から上方保護部材としての絶縁ガイド４１の直下のヒューズ挿入孔部分を通してヒューズ３をヒューズ装着部材２２と共に横方向に引き抜いてヒューズキャリー２の下側のヒューズ装着部材２２に装着されたヒューズ３をヒューズ台１から取り出すことができる。
【００４１】
以上により、本実施形態１によれば、２枚の垂直壁間の底面上に、ヒューズを搭載して回路接続可能とするヒューズ搭載手段としての各１対のクリップ５が配設されており、２枚の垂直壁の上端部間に、ヒューズ搭載手段としての各１対のクリップ５の上方を覆って保護する上方保護部材としての絶縁ガイド４１が配設されたヒューズ台１と、２枚の垂直壁の上端部間上を覆う板部材、板部材の裏面から垂下した連結部材としての板状部材２３および、板状部材２３の先端部に連結され、ヒューズ３を装着可能とするヒューズ装着部材２２を有したヒューズキャリー２とを備えている。
【００４２】
このように、ヒューズ台１からヒューズキャリー２をヒューズ３と共に取り外した場合などにも、充電部の各１対のクリップ５がヒューズカバー４の２枚の垂直壁間内で露出しないように、ヒューズカバー４の内部の充電部の各１対のクリップ５をその上方で保護する絶縁ガイド４１がヒューズカバー４の２枚の垂直壁上端部間に配設されている。
【００４３】
これによって、２枚の垂直壁の上端部間に、ヒューズ搭載手段としての各１対のクリップ５の上方を覆って保護する上方保護部材としての絶縁ガイド４１が配設されているため、ヒューズキャリー２をヒューズ３と共に充電部の各１対のクリップ５から引き抜いた場合にも絶縁性のヒューズカバー４内の上端部が絶縁ガイド４１により閉止されて充電部が間近かに露出することなく安全であるヒューズ台１を得ることができる。
【００４４】
（実施形態２）
上記実施形態１では、ヒューズカバー４の２枚の垂直壁上端部間に各絶縁ガイド４１が配設され、ヒューズカバー４の２枚の垂直壁上端部間の各絶縁ガイド４１間にスリット４２が形成されている場合について説明したが、本実施形態２では、各絶縁ガイド４１間にスリット４２をできるだけ短く構成して、ヒューズカバー４内の充電部上の開口のスリット４２をできるだけ短くする場合について説明する。
【００４５】
具体的には、上記実施形態１では、ヒューズキャリー２の下側の板状部材２３の長さは、ヒューズ搭載手段としての各１対のクリップ５の長手方向に及ぶ全長の長さいっぱいに構成した場合について説明したが、本実施形態２では、ヒューズキャリー２の下側の板状部材２３の長さは、ヒューズ搭載手段としての各１対のクリップ５の長手方向に及ぶ全長の１／１６以上１／４以下の長さに構成した場合について説明する。
【００４６】
図６は、本発明の実施形態２におけるヒューズユニット１０Ａにおいてヒューズが装着されたヒューズキャリーをヒューズ台に横方向に挿入する場合の斜視図である。
【００４７】
図６において、本実施形態２のヒューズ台１Ａは、ヒューズカバー４Ａの２枚の垂直壁上端部間に絶縁ガイド４１Ａが配設され、絶縁ガイド４１Ａの幅方向中央部にスリット４２Ａが途中まで形成されている。スリット４２Ａの長さａは、絶縁ガイド４１Ａの長手方向全体の長さＡ（各１対のクリップ５の長手方向全体の長さＡに対応）のうちの１／３でもよいし、１／４でもよいし、１／５でもよいが、ここでは、絶縁ガイド４１Ａの長手方向全長の１／１６以上１／４以下（各１対のクリップ５の長手方向に及ぶ全長の１／１６以上１／４以下の長さに対応）としている。スリット４２Ａの長さａに対応してヒューズキャリー２Ａの板状部材２３の長さを決めればよい。ヒューズキャリー２Ａの板状部材２３Ａの長さは、各１対のクリップ５にヒューズ３を挿入するときの挿入力に耐えられる強度の長さであればよい。これによって、ヒューズカバー４Ａ内の充電部上の開口のスリット４２Ａをできるだけ短くすることができる。
【００４８】
ヒューズキャリー２Ａの下側に、所定厚さで所定幅の棒状の板状部材２３Ａを介して爪状のヒューズ装着部２２が上下に設けられ、上下の爪状のヒューズ装着部２２間に、端子部３１を両側に持つヒューズ３の長手方向中央部を押し込んで装着する。棒状の板状部材２３Ａは長方形状の長い板状部材２３に比較して長さが大幅に短く構成されている。
【００４９】
上記構成により、以下、そのヒューズ３の組み込み動作について更に詳細に説明する。
【００５０】
図７（ａ）は、ヒューズキャリー２Ａの下側のヒューズ装着部２２にヒューズ３を装着する場合のヒューズ組み込みを示す斜視図、図７（ｂ）は、ヒューズキャリー２Ａの下側のヒューズ３をヒューズカバー４Ａ内に挿入する第１段階を示すヒューズ３のヒューズカバー４Ａ内への組み込みを示す斜視図、図７（ｃ）は、図７（ｂ）の内部状態を示す斜視図、図７（ｄ）は、ヒューズキャリー２Ａのヒューズ３をヒューズカバー４Ａ内の各１対のクリップ５に挿入する第２段階を示すヒューズ３の充電部への組み込みを示す斜視図である。
【００５１】
まず、図７（ａ）に示すように、ヒューズキャリー２Ａの下側の上下の爪状のヒューズ装着部２２間に、端子部３１を両側に持つヒューズ３の長手方向中央部を押し込んで装着する。このとき、ヒューズキャリー２Ａの下側に保持されたヒューズ３の長手方向両端の端子部３１の端面は、ヒューズキャリー２Ａの樹脂製カバーで覆われており、ヒューズ３の長手方向両端の端子部３１のクリップ５に対応する側面位置は接続のために露出している。
【００５２】
次に、図７（ａ）および図７（ｃ）に示すように、ヒューズキャリー２Ａに保持されたヒューズ３の長手方向を水平にして、そのヒューズ３が装着された筒状のヒューズ装着部２２の一方端部側を、絶縁ガイド４１Ａの下方位置のヒューズ挿入孔部分に挿入する。この挿入時に、絶縁ガイド４１Ａ間の短く細いスリット４２Ａに所定板厚の板状部材２３Ａを通過させつつ、ヒューズキャリー２Ａに保持されたヒューズ３をその筒状のヒューズ装着部２２と共に絶縁ガイド４１Ａの下方位置に挿入する。この状態のヒューズ台１Ａの外観を図７（ｄ）に示している。
【００５３】
要するに、上方保護部材としての絶縁ガイド４１Ａの幅方向中央の長手方向に沿って短いスリット４２Ａが形成されており、ヒューズキャリー２Ａの下側の連結部材としての板状部材２３Ａの板厚はスリット４２Ａに横方向から、ヒューズ３がヒューズ搭載手段としての各１対のクリップ５の真上まで挿入可能に構成されている。ヒューズキャリー２Ａの下側の板状部材２３Ａの長さは、ここでは、ヒューズ搭載手段としての各１対のクリップ５の長手方向に及ぶ全長の１／１６以上１／４以下の長さに構成されている。
【００５４】
続いて、図７（ｄ）に示すように、ヒューズキャリー２Ａの下側に保持されたヒューズ３を筒状のヒューズ装着部２２と共に絶縁ガイド４１Ａの下方位置にあるヒューズ挿入孔部分に挿入した第１段階からヒューズキャリー２Ａをヒューズ３と共に下方に押し込んで、ヒューズ３の両端側の端子部３１を各１対のクリップ５に挿入してヒューズ３を装着する。
【００５５】
要するに、ヒューズユニット１０Ａの使用方法は、ヒューズキャリー２Ａの下側のヒューズ装着部材２２に装着されたヒューズ３をヒューズ装着部材２２と共に上方保護部材としての絶縁ガイド４１Ａの直下のヒューズ挿入孔部分に横方向から、ヒューズ搭載手段としての各１対のクリップ５の真上位置まで挿入した後にヒューズ３をヒューズ装着部材２２と共に下方に挿入して各１対のクリップ５にヒューズ３を搭載する。
【００５６】
また逆に、ヒューズユニット１０の使用方法は、各１対のクリップ５に搭載されたヒューズ３をヒューズ装着部材２２と共に上方に引き抜いてヒューズ搭載手段としての各１対のクリップ５の真上位置から上方保護部材としての絶縁ガイド４１Ａの直下のヒューズ挿入孔部分を通してヒューズ３をヒューズ装着部材２２と共に横方向に引き抜いてヒューズキャリー２Ａの下側のヒューズ装着部材２２に装着されたヒューズ３をヒューズ台１Ａから取り出すことができる。
【００５７】
以上により、本実施形態１によれば、ヒューズ台１Ａからヒューズキャリー２Ａをヒューズ３と共に取り外した場合などにも、充電部がヒューズカバー４Ａの２枚の垂直壁間内で露出しないように、ヒューズカバー４Ａの内部の充電部をその上方で保護する絶縁ガイド４１Ａが短くスリット４２Ａが形成された状態でヒューズカバー４Ａの２枚の垂直壁上端部間に配設されている。
【００５８】
これによって、ヒューズキャリー２Ａをヒューズ３と共に充電部の各１対のクリップ５から引き抜いた場合などにも絶縁性のヒューズカバー４Ａ内の上端部が絶縁ガイド４１Ａにより、上記実施形態１の絶縁ガイド４１によりもより閉止されて充電部が間近かに露出することなくより安全であるヒューズ台１Ａを得ることができる。
【００５９】
なお、以上のように、本発明の好ましい実施形態１、２を用いて本発明を例示してきたが、本発明は、この実施形態１、２に限定して解釈されるべきものではない。本発明は、特許請求の範囲によってのみその範囲が解釈されるべきであることが理解される。当業者は、本発明の具体的な好ましい実施形態１、２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６０】
本発明は、本発明は、例えば原子力発電所、火力発電所および変電所などの配電盤、制御盤および監視盤の他、鉄道や自動車および、新エネルギー分野のソーラシステムや風力発電システムなどに用いられるヒューズユニットの分野において、２枚の垂直壁の上端部間に、ヒューズ搭載手段の上方を覆って保護する上方保護部材が配設されているため、ヒューズキャリーをヒューズと共に充電部から引き抜いたり、ヒューズキャリーをヒューズと共に両クリップに差し込んだりする場合にも、絶縁性のヒューズカバー内の上端部が閉止されて上方保護部材により充電部が間近かに露出せず、更に安全に作業を行うことができる。
【符号の説明】
【００６１】
１  ヒューズ台
２  ヒューズキャリー
２１  把手
２２  ヒューズ装着部
２３  板上部材
３  ヒューズ
３１  端子部
４  ヒューズカバー（ヒューズケース）
４１  絶縁ガイド
４２  スリット
５  クリップ
５１  端子部
５２  端子ねじ
６  固定ねじ
７  端子カバー
１０、１０Ａ  ヒューズユニット
【図１】
0005607706.tif 000002
【図２】
0005607706.tif 000003
【図３】
0005607706.tif 000004
【図４】
0005607706.tif 000005
【図５】
0005607706.tif 000006
【図６】
0005607706.tif 000007
【図７】
0005607706.tif 000008